(57)【要約】【課題】床面等に自立させるための広告具であって、横方向に並べた椅子の背面スペースを有効に利用できる広告具を提供する。【解決手段】この広告具１００は、略長方形の一方の長辺である第１の長辺が床面に設置されて立設される略長方形形状の広告具であって、略長方形形状の枠を含むフレーム１５０と、フレーム１５０に着脱自在な略長方形形状の広告シート１１０と、フレーム１５０を構成する第１の長辺１５２Ｄに、略垂直に、かつ、第１の長辺１５２Ｄを含む水平面内で第１の長辺１５２Ｄから延設するように、連結された１本以上の棒状部材１６２とを含み、広告シート１１０は、短辺１５４側の両端を折り返した折り返し部１１６の長辺部分を接合した袋部１１８を備え、フレーム１５０の両方の短辺１５４を袋部１１８に挿入することによりフレーム１５０に取り付ける。【選択図】図５
2017058460.tif 000002
【特許請求の範囲】
【請求項１】
略長方形の一方の長辺である第１の長辺が床面に設置されて立設される略長方形形状の広告具であって、
略長方形形状の枠を含むフレームと、
前記フレームに着脱自在な略長方形形状の広告シートと、
前記フレームを構成する前記第１の長辺に、前記第１の長辺を含む水平面内で前記第１の長辺から延設するように、連結された１本以上の棒状部材とを含み、
前記広告シートは、短辺側の両端部を折り返して折り返した長辺部分を接合した袋部を備え、前記フレームの両短辺を前記袋部に挿入することにより前記フレームに取り付ける、横方向に長い自立式広告具。
【請求項２】
前記棒状部材は、前記第１の長辺に、略垂直に、かつ、前記第１の長辺を含む水平面内で前記第１の長辺から延設するように、連結された、請求項１に記載の横方向に長い自立式広告具。
【請求項３】
前記棒状部材の前記第１の長辺の逆側端部と、前記第１の長辺とは別の第２の長辺とは、連結部材により連結されている、請求項１または請求項２に記載の横方向に長い自立式広告具。
【請求項４】
前記棒状部材は、少なくとも２本備える、請求項１〜請求項３のいずれかに記載の横方向に長い自立式広告具。
【請求項５】
前記フレームの長辺端から前記棒状部材の設置位置までの長さは、前記袋部の長辺方向長さよりも長い、請求項１〜請求項４のいずれかに記載の横方向に長い自立式広告具。
【発明の詳細な説明】
【技術分野】
【０００１】
本発明は、床面等に自立させるための広告具であって、特に、横方向に並べた椅子の背面スペースを有効に利用するとともに、広告表示内容を容易に交換可能な広告具に関する。
【背景技術】
【０００２】
多数の人が集まる各種の講習会や説明会等の会場には、その主催者の商品、サービス、会社、さらには、イベント等を宣伝広告するための広告具が設置されている場合がある。
そして、かかる広告具としては、通路等の人目につき易い場所に設置するスタンド式のものや、天井吊り下げ式のもの、さらには、壁掛け式のもの等が知られており、これら従来の広告具は、通路等の人目につき易い場所に設置されることにより、宣伝広告効果を発揮する。
【０００３】
このようなスタンド式の広告具では、床面に自立させるための脚体または支持体等が必要なことから構造が複雑化しコスト高を招く。一方、天井吊り下げ式または壁掛け式の広告具では、天井や壁面に固定する金具等が必要となり、その分、構造の複雑化やコスト高を招く。
このような問題点に鑑み、本出願人は、広告具を自立させるための支持体および壁面等に固定するための金具等の特別な付属品を不要にしてコストの低減を図ることのできる広告具を考案して出願している。この広告具は、実用新案登録第３１３９３２９号公報（特許文献１）に開示されており、座板と背凭れとの上下間に間隔が存する脚付きの椅子に適用可能な広告具であって、前記背凭れに対して上方から被せる背凭れカバー部と、前記背凭れカバー部の後面の下端から延長された垂下シート部を具備し、前記垂下シート部は、前記椅子の背凭れと座板との上下の前記間隔を覆い得る長さに設定されており、前記垂下シート部と前記背凭れカバー部の少なくとも一方の後面に文字や図形等の広告表示が施されているものである。
【０００４】
特許文献１に開示された広告具は、その実施の形態に記載されているように、多数の人が集まる各種の講習会や説明会等の会場にて縦横に並べられる参加者用の多数の折り畳み式の会議用パイプ椅子の背面部に取り付けることにより、その後ろの列の着座者の最も注意を喚起できる目前で広告機能を発揮できて大きな宣伝広告効果を得ることができる点、広告具を自立させるための支持体や壁面等に固定するための金具等の特別な付属品を不要にしてコストの低減を図ることができる点、で好ましい。
【０００５】
ところで、この特許文献１の図４に示されるように、参加者用の多数の折り畳み式の会議用パイプ椅子が縦横に並べられる場合、横方向に長いスペースがあるものの、特許文献１に開示された広告具では、横方向に長い大きな広告を表示することができない。
また、このような観点に鑑み、本出願人は、広告表示面積が大きい自立可能な自立式看板を考案して出願している。この自立式看板は、実用新案登録第３１７４８０１号公報（特許文献２）に開示されており、１対の表示枠を備えた骨組み、および前記表示枠に着脱可能な情報表示部を備え、１対の前記表示枠は、蝶番の機能を有する蝶番部材により開閉可能に連結されて開かれたときに自立可能に形成され、前記骨組みは、１対の前記表示枠が開かれた状態を維持させるための開維持手段を有する。
【０００６】
特許文献２に開示された自立式看板は、蝶番部材により連結された１対の表示枠を開いた状態を維持することにより自立することができるので、壁等に立てかけて使用する必要がなく店先に置かれたときに人の移動方向に対して直交する方向に情報表示面が向いてしまうことを回避することができる点、立てかけて使用される看板とは異なり設置場所が壁の直近等に限られるという問題を有しない点、で好ましい。
【先行技術文献】
【特許文献】
【０００７】
【特許文献１】実用新案登録第３１３９３２９号公報
【特許文献２】実用新案登録第３１７４８０１号公報
【発明の概要】
【発明が解決しようとする課題】
【０００８】
このように出願人が考案した広告具および自立式看板に基づいて、参加者用の多数の折り畳み式の会議用パイプ椅子が縦横に並べられた会場において、特許文献２に開示された自立式看板を会議用パイプ椅子の背面に置くことにより、横方向に長い大きな広告を表示することができる。
しかしながら、特許文献２に開示された自立式看板によると、蝶番部材により連結された１対の表示枠を開いた状態を維持することにより自立させるために、多数の折り畳み式の会議用パイプ椅子が縦方向（前後方向）および横方向（左右方向）に並べられた会場における前後方向にスペースを必要とする。このため、前後方向の設置間隔を広げて会議用パイプ椅子を並べなければならない。これでは、会場の床面積を有効に活用することができない。
【０００９】
本発明は、従来技術の上述の問題点に鑑みて開発されたものであり、その目的とするところは、たとえば参加者用の多数の折り畳み式の会議用パイプ椅子が縦横に並べられた会場においてスペースを有効的に使用することのできる、横方向に長い自立式広告具を提供することである。
【課題を解決するための手段】
【００１０】
上記目的を達成するため、本発明に係る横方向に長い自立式広告具は以下の技術的手段を講じている。
すなわち、本発明に係る横方向に長い自立式広告具は、略長方形の一方の長辺である第１の長辺が床面に設置されて立設される略長方形形状の広告具であって、略長方形形状の枠を含むフレームと、前記フレームに着脱自在な略長方形形状の広告シートと、前記フレームを構成する前記第１の長辺に、前記第１の長辺を含む水平面内で前記第１の長辺から延設するように、連結された１本以上の棒状部材とを含み、前記広告シートは、短辺側の両端部を折り返して折り返した長辺部分を接合した袋部を備え、前記フレームの両短辺を前記袋部に挿入することにより前記フレームに取り付けることを特徴とする。
【００１１】
好ましくは、前記棒状部材は、前記第１の長辺に、略垂直に、かつ、前記第１の長辺を含む水平面内で前記第１の長辺から延設するようにして連結されるように構成することができる。
さらに好ましくは、前記棒状部材の前記第１の長辺の逆側端部と、前記第１の長辺とは別の第２の長辺とは、連結部材により連結されているように構成することができる。
【００１２】
さらに好ましくは、前記棒状部材は、少なくとも２本備えるように構成することができる。
さらに好ましくは、前記フレームの長辺端から前記棒状部材の設置位置までの長さは、前記袋部の長辺方向長さよりも長いように構成することができる。
【発明の効果】
【００１３】
本発明に係る横方向に長い自立式広告具によれば、スペースを有効的に使用することのできる、横方向に長い自立式広告具を提供することができる。
【図面の簡単な説明】
【００１４】
【図１】本発明の第１の実施の形態に係る自立式広告具に用いる広告シートの展開図（Ａ）および斜視図（Ｂ）である。
【図２】図１の広告シートを取り付けるフレームを示す側面図（Ａ）および上面図（Ｂ）である。
【図３】図２のフレームの分解斜視図である。
【図４】本発明の第１の実施の形態に係る自立式広告具を折り畳み式の会議用パイプ椅子に適用する場合の手順を示す図である。
【図５】本発明の第１の実施の形態に係る自立式広告具を折り畳み式の会議用パイプ椅子に適用した場合の斜視図である。
【図６】本発明の第１の実施の形態に係る自立式広告具を多数の折り畳み式の会議用パイプ椅子に適用した場合の使用態様を示す斜視図である。
【図７】本発明の第２の実施の形態に係る自立式広告具に用いる広告シートの展開図（Ａ）および斜視図（Ｂ）である。
【図８】図１の広告シートを取り付けるフレームの開状態の側面図（Ａ）、開状態の上面図（Ｂ）および閉状態の上面図（Ｃ）である。
【図９】本発明の第２の実施の形態に係る自立式広告具を折り畳み式の会議用パイプ椅子に適用する場合の手順を示す図である。
【図１０】本発明の第２の実施の形態に係る自立式広告具を折り畳み式の会議用パイプ椅子に適用した場合の斜視図である。
【図１１】本発明の第２の実施の形態に係る自立式広告具を多数の折り畳み式の会議用パイプ椅子に適用した場合の使用態様を示す斜視図である。
【発明を実施するための形態】
【００１５】
＜第１の実施の形態＞
以下、本発明の第１の実施の形態である横方向に長い自立式広告具（以下において単に広告具と記載する場合がある）１００を、以下に示す図面に基づき詳しく説明する。この広告具１００は、大きくは、広告シート１１０とフレーム１５０とで構成される。
図１は、この広告具１００を構成する広告シート１１０の展開図（Ａ）および斜視図（Ｂ）であって、図２は、この広告具１００を構成するフレーム１５０であって図１の広告シート１１０を取り付けるフレーム１５０を示す側面図（Ａ）および上面図（Ｂ）であって、図３はこのフレーム１５０の分解斜視図である。そして、図４は、この広告具１００を構成するフレーム１５０を組み立てて、組み立てられたフレーム１５０に広告シート１１０を取り付ける手順であって、広告具１００を折り畳み式の会議用パイプ椅子（以下において単にパイプ椅子または椅子と記載する場合がある）Ｃに適用する場合の手順を示す図であって、図５は、この広告具１００をパイプ椅子Ｃに適用した場合の斜視図であって、図６は、この広告具１００を多数のパイプ椅子Ｃに適用した場合の使用態様を示す斜視図である。
【００１６】
本実施の形態に係る広告具１００は、図４〜図６に示すように、折り畳み式の会議用パイプ椅子Ｃに好適に適用される。このパイプ椅子Ｃが横方向に３脚並べられて、広告具１００が好適に適用される。このパイプ椅子Ｃは、座板Ｃ１と背凭れＣ２と前脚Ｃ３および後脚Ｃ４とを備えた椅子であるが、本発明に係る広告具の適用がこのようなパイプ椅子Ｃに限定されるものではなく、椅子でなくても構わない。椅子である場合には、背凭れＣ２と座板Ｃ１の上下に間隔が存在しない構造の椅子、すなわち、背凭れＣ２の下端が座板Ｃ１まで延長されている構造の椅子であっても本発明に係る広告具は適用可能である。
【００１７】
このパイプ椅子Ｃは、より詳しくは、上端に背凭れＣ２が取り付けられた椅子フレーム(前脚Ｃ３および後脚Ｃ４で構成)の上下方向の中程に座板Ｃ１が取り付けられている。椅子フレームは、パイプを曲げ加工した長方形枠状の前脚Ｃ３と、Ｕ字状に曲成されたパイプから成る後脚Ｃ４とから構成されており、後脚Ｃ４の上部両端はピンＣ５によって、前脚Ｃ３の左右両辺における上下方向の中程に回動自在に軸支されている。
【００１８】
図１〜図６を参照して、この広告具１００は、略長方形の一方の長辺である第１の長辺１５２Ｄが床面に設置されて立設される略長方形形状の広告具であって、略長方形形状の枠を含むフレーム１５０と、フレーム１５０に着脱自在な略長方形形状の広告シート１１０と、フレーム１５０を構成する第１の長辺１５２Ｄに、第１の長辺１５２Ｄを含む水平面内で第１の長辺１５２Ｄから延設するように、連結された１本以上の棒状部材１６２とを含み、広告シート１１０は、短辺１５４側の両端を折り返した折り返し部１１６の長辺部分を接合した袋部１１８を備え、フレーム１５０の両方の短辺１５４を袋部１１８に挿入することにより広告シート１１０をフレーム１５０に取り付ける。そして、好ましくは、この棒状部材１６２は、第１の長辺１５２Ｄに、略垂直に、かつ、第１の長辺１５２Ｄを含む水平面内で第１の長辺１５２Ｄから延設するように、連結されている。
【００１９】
さらに、棒状部材１６２の第１の長辺１５２Ｄの逆側端部と、第１の長辺１５２Ｄとは別の第２の長辺１５２Ｕとは、連結部材である斜めステー１６４により連結されている。そして、安定性を向上させるために、好ましくは、棒状部材１６２（斜めステー１６４を
備える場合には斜めステー１６４を含む）は、少なくとも２本備える。
上述したように、フレーム１５０の両方の短辺１５４を広告シート１１０の袋部１１８に挿入するために、フレーム１５０の長辺１５２Ｄの端部から棒状部材１６２の設置位置までの長さは（斜めステー１６４を備える場合には長辺１５２Ｕの端部から斜めステー１６４の設置位置までの長さも）、袋部１１８の長辺方向長さよりも長い。なお、フレーム１５０の両方の短辺１５４を広告シート１１０の袋部１１８に挿入するときの作業を容易にするために、広告シート１１０は伸縮性を有する素材であることも好ましい。このような特徴を備えた広告具１００についてさらに詳しく説明する。
【００２０】
この広告具１００を構成する広告シート１１０について説明する。この広告シート１１０は、好ましくは伸縮性を有するシートで形成されており、製品状態では図１（Ｂ）に示す形状を、展開状態では図１（Ａ）に示す形状を有している。
図１および図５に示すように、広告シート１１０は、略長方形の形状を備えたシート（広告表示を掲載する側の面を表面１１２およびその反対面を裏面１１４とする）の短辺側に折り返し部１１６を延設して、図１（Ｂ）に示すように、この表面１１２と折り返し部１１６との境界線（図１の二点鎖線）が山線になるように折り返して重なった部分であって長辺に沿った部分を縫合したり接着したりすることにより（ここでは図示するミシン線により縫合）、袋部１１８を形成している。
【００２１】
さらに、この広告シート１１０の少なくとも一方の長辺には、２ヶ所にタグ（小片）１２０が縫い付けられている。このタグ１２０は、後述するように、嵌合部材１８０を用いてフレーム１５０の長辺１５２Ｕに挟み込まれることにより、フレーム１５０から広告シート１１０がずれ落ちることを防止している。このタグ１２０は、広告シート１１０よりも少し固い素材で構成されることが好ましい。なお、図１（Ｂ）においては、このタグ１２０はＬ字形状であるように表しているが、広告シート１１０とともにタグ１２０も布帛で構成されることが多いが、この場合にタグ１２０が多少固い布帛であっても、布帛である以上、明確なＬ字形状を構成するものではない。
【００２２】
次いで、この広告具１００を構成するフレーム１５０について説明する。このフレーム１５０は、可搬性を向上させるため、容易に組み立て／分解できる構造を備える。なお、本発明に係る広告具を構成するフレームは、このような分解構造を備えるものに限定されるものではない。
図２、図３および図５に示すように、このフレーム１５０は、略長方形形状の枠体とその枠体を支持する２本の支持体１６０とで構成される。支持体１６０は２本に限定されるものではなく少なくとも１本あればよい。その枠体は、第１の長辺である長辺１５２Ｄおよび第２の長辺である長辺１５２Ｕと、両短辺である短辺１５４とで構成される。なお、限定されるものではないが、長辺１５２Ｄおよび長辺１５２Ｕは、それぞれ２本の中空丸パイプ１５２Ｌおよび中空丸パイプ１５２Ｒで構成され、中空丸パイプ１５２Ｌおよび中空丸パイプ１５２Ｒは、それぞれ接合部１５２Ｊで内径部１５２Ｊ１が外径部１５２Ｊ２に嵌合することにより接続されて一体化される。また、両方の短辺１５４と第１の長辺１５２Ｄおよび第２の長辺１５２Ｕは、それぞれ直角連結部材１５６により連結されて、１つの枠体が形成される。
【００２３】
支持体１６０は、棒状部材１６２と斜めステー１６４と、これらを矢示Ｒ方向に回動自在に接続する回転接続部１６６とにより構成されている。棒状部材１６２および長辺１５２Ｄ、ならびに、斜めステー１６４および長辺１５２Ｕは、それぞれＴ型連結部材１７０により連結される。ここで、棒状部材１６２の長さおよび短辺１５４の長さによらず（斜めステー１６４と短辺１５４とで構成される角度、および、棒状部材１６２と斜めステー１６４とで構成される角度が変わっても）回転接続部１６６が矢示Ｒ方向に回動自在であるために、支持体１６０を枠体の長辺１５２Ｄおよび長辺１５２Ｕに連結することができる。そして、この支持体１６０と枠体とにより、図２（Ａ）に示すように、側面視で直角三角形を構成するフレーム１５０を構成している。
【００２４】
このような構造を備えた広告具１００は、図４に示す手順で組み立てられる。図４（Ａ）に示すように、第１の長辺１５２Ｄおよび第２の長辺１５２Ｕをそれぞれ中空丸パイプ
１５２Ｌと中空丸パイプ１５２Ｒとを接合部１５２Ｊで連結して、短辺１５４および第１の長辺１５２Ｄ、ならびに、短辺１５４および第２の長辺１５２Ｕを、それぞれ直角連結部材１５６により連結して、１つの枠体が形成する。その枠体に２本の支持体１６０（棒状部材１６２と斜めステー１６４とが回転接続部１６６により連結されて構成）をＴ型連結部材１７０により連結する。これにより、フレーム１５０が完成する。
【００２５】
そして、図４（Ｂ）に示すように、横方向に並べられた３脚の椅子Ｃの位置に、このフレーム１５０を設置する。なお、３脚の椅子Ｃの配置とフレーム１５０の配置との先後順は特に限定されず、どちらの配置が先であっても構わない。このとき、２本の支持体１６０の間に真ん中の椅子Ｃが配置されるようにすると、支持体１６０と椅子Ｃとが干渉しないので好ましい。この状態で、椅子Ｃが並べられる講習会や説明会等に集まる人やその季節に対応させた宣伝広告がその表面１１２に施された広告シート１１０の袋部１１８にフレーム１５０の両方の短辺１５４を挿入することにより、フレーム１５０に広告シート１１０が取り付けられて、図４（Ｃ）および図５に示す状態となる。
【００２６】
この場合において、フレーム１５０の長辺１５２Ｄの端部から棒状部材１６２の設置位置までの長さは（斜めステー１６４を備える場合には長辺１５２Ｕの端部から斜めステー１６４の設置位置までの長さも）、袋部１１８の長辺方向長さよりも長くなっている。このため、フレーム１５０の両方の短辺１５４を広告シート１１０の袋部１１８に挿入する場合に、２本の支持体１６０と広告シート１１０の袋部１１８とが干渉しない。
【００２７】
さらに、図５のＡ部拡大図に示すように（Ａ部拡大図はＡ部における白矢印方向から見た斜視拡大図）、広告シート１１０の上側の長辺の２ヶ所に縫い付けられたタグ１２０がフレーム１５０の長辺１５２Ｕに挟み込まれるようにして、嵌合部材１８０が取り付けられる。これにより、フレーム１５０から広告シート１１０がずれ落ちることを防止している。なお、嵌合部材１８０の素材は、可塑性を備えた合成樹脂等の素材である。
【００２８】
そうすると、図４（Ｃ）および図５に示すように、この広告具１００は、３脚の椅子Ｃの背面全体を覆った状態になる。そして、この状態では、広告シート１１０の表面１１２にはその椅子Ｃが並べられる講習会や説明会等に集まる人やその季節に対応させた横方向に大きな広告表示が施されているから、この表面１１２は、その後ろの列の椅子Ｃに着座した参加者の目前、すなわち、最も注意を喚起し易い場所に位置する横長の広告表示になる。
【００２９】
より具体的には、図６に示すように、この広告具１００は、各種の講習会や説明会等の会場に縦横に並べられる参加者用の３脚の椅子Ｃの背面側に配置して使用されるので、広告表示が施されている広告シート１１０の表面１１２は、その後ろの列の椅子Ｃに着座した参加者の目前に位置することになる。したがって、たとえば横方向に連続した広告内容を容易に表示させることができるので、宣伝広告機能が向上することになる。
【００３０】
なお、椅子Ｃを会場から撤収する場合には（別の会場で広告シート１１０を取り替えてこの椅子Ｃを使用する場合には）、広告シート１１０をフレーム１５０から取り外して、フレーム１５０を分解して、椅子Ｃの後脚Ｃ４を閉じて前脚Ｃ３に後脚Ｃ４を添わせて椅子Ｃを折り畳んで収納して別の場所へ運搬する。そして、別の場所において、上述した手順により、フレーム１５０を組み立てて、椅子Ｃを並べて広告シート１１０を取り付けて、新たな会場を設営する。
【００３１】
以上のようにして、本実施の形態に係る広告具１００によると、広告シート１１０を交換するだけで来場者に合致させた宣伝広告を表示させることができるとともに、横方向に長い広告表示領域を備えた広告シート１１０により宣伝広告機能が向上させることのできる広告具であって、会場におけるスペースを有効的に使用することができる広告具を提供することができる。
【００３２】
＜第２の実施の形態＞
以下、本発明の第２の実施の形態である横方向に長い自立式広告具（以下において単に広告具と記載する場合がある）２００を、以下に示す図面に基づき詳しく説明する。この広告具２００は、大きくは、広告シート２１０とフレーム２５０とで構成される。なお、パイプ椅子Ｃについては、上述した実施の形態と同じであるため、ここでは繰り返して説
明しない。
【００３３】
図７は、上述した図１に対応する図であって、この広告具２００を構成する広告シート２１０の展開図（Ａ）および斜視図（Ｂ）であって、図８は、上述した図２に対応する図であって、この広告具２００を構成するフレーム２５０であって図７の広告シート２１０を取り付ける開状態のフレーム２５０を示す側面図（Ａ）、開状態のフレーム２５０を示す上面図（Ｂ）および閉状態のフレーム２５０を示す上面図（Ｃ）である。そして、図９は、上述した図４に対応する図であって、この広告具２００を構成するフレーム２５０を組み立てて、組み立てられたフレーム２５０に広告シート２１０を取り付ける手順であって、広告具２００を折り畳み式の会議用パイプ椅子Ｃに適用する場合の手順を示す図であって、図１０は、上述した図５に対応する図であって、この広告具２００をパイプ椅子Ｃに適用した場合の斜視図であって、図１１は、上述した図６に対応する図であって、この広告具２００を多数のパイプ椅子Ｃに適用した場合の使用態様を示す斜視図である。
【００３４】
本実施の形態に係る広告具２００は、図９〜図１１に示すように、折り畳み式の会議用パイプ椅子Ｃに好適に適用される。このパイプ椅子Ｃが横方向に３脚並べられて、広告具２００が好適に適用される。上述した第１の実施の形態と同じように、本発明に係る広告具の適用がこのようなパイプ椅子Ｃに限定されるものではなく、椅子でなくても構わない。
【００３５】
図７〜図１１を参照して、この広告具２００は、略長方形の一方の長辺である第１の長辺２５２Ｄが床面に設置されて立設される略長方形形状の広告具であって、略長方形形状の枠を含むフレーム２５０と、フレーム２５０に着脱自在な略長方形形状の広告シート２１０と、フレーム２５０を構成する第１の長辺２５２Ｄに、第１の長辺２５２Ｄを含む水平面内で第１の長辺２５２Ｄから延設するように、連結された１本以上の棒状部材２５４Ｄとを含み、広告シート２１０は、短辺２５２Ｓ側の両端を折り返した折り返し部２１６を折り返して折り返した長辺部分を接合した袋部２１８を備え、フレーム２５０の両方の短辺２５２Ｓを袋部２１８に挿入することにより広告シート２１０をフレーム２５０に取り付ける。そして、好ましくは、この棒状部材２５４Ｄは、第１の長辺２５２Ｄに、略垂直に（後述するＯＰ方向に略直角に開いた状態に）、かつ、第１の長辺２５２Ｄを含む水平面内で第１の長辺２５２Ｄから延設するように、連結されている。
【００３６】
さらに、棒状部材２５４Ｄの第１の長辺２５２Ｄの逆側端部と、第１の長辺２５２Ｄとは別の第２の長辺２５２Ｕとは、連結部材である斜めステー２５４Ｎにより連結されている。そして、安定性を向上させるために、好ましくは、棒状部材２５４Ｄ（斜めステー２５４Ｎを備える場合には斜めステー２５４Ｎを含む）は、少なくとも２本備える。
上述した第１の実施の形態と同じように、フレーム２５０の両方の短辺２５４Ｓを広告シート２１０の袋部２１８に挿入するために、フレーム２５０の長辺２５２Ｄの端部から棒状部材２５４Ｄの設置位置までの長さＬ（図８（Ｃ）参照）は（斜めステー２５４Ｎを備える場合には長辺２５２Ｕから斜めステー２５４Ｎの設置位置までの長さＬも）、袋部２１８の長辺方向長さよりも長い。なお、第１の実施の形態と同じように、フレーム２５０の両方の短辺２５４Ｓを広告シート２１０の袋部１１８に挿入するときの作業を容易にするために、広告シート２１０は伸縮性を有する素材であることも好ましい。このような特徴を備えた広告具２００についてさらに詳しく説明する。
【００３７】
この広告具２００を構成する広告シート２１０について説明する。この広告シート２１０は、好ましくは伸縮性を有するシートで形成されており、製品状態では図７（Ｂ）に示す形状を、展開状態では図７（Ａ）に示す形状を有している。
図７および図１０に示すように、広告シート２１０は、略長方形の形状を備えたシート（広告表示を掲載する側の面を表面２１２およびその反対面を裏面２１４とする）の短辺側に折り返し部２１６を延設して、図７（Ｂ）に示すように、この表面２１２と折り返し部２１６との境界線（図７の二点鎖線）が山線になるように折り返して重なった部分であって長辺に沿った部分を縫合したり接着したりすることにより（ここでは接合）、袋部２１８を形成している。
【００３８】
なお、図７（Ｂ）に示すように、折り返して重なった左右周縁部は丸みを帯びさせてい
るが、これはこの広告具２００のフレーム２５０の形状に合致させたものであって本発明はこのように丸みを帯びた形状に限定されるものではない。
次いで、この広告具２００を構成するフレーム２５０について説明する。このフレーム２５０は、可搬性の向上よりも耐久性および堅牢性を向上させるため、１本の中空丸パイプを曲げて構成した一体型構造を備える。なお、本発明に係る広告具を構成するフレームは、このような一体型構造を備えるものに限定されるものではない。
【００３９】
図８および図１０に示すように、このフレーム２５０は、略長方形形状の枠体とその枠体を支持する２本の支持体２５４（支持体２５４は棒状部材２５４Ｄと斜めステー２５４Ｎとにより一体的に構成）とで構成される。支持体２５４は２本に限定されるものではなく少なくとも１本あればよい。その枠体は、第１の長辺である長辺２５２Ｄおよび第２の長辺である長辺２５２Ｕと、両短辺である短辺２５４Ｓとで構成される。なお、限定されるものではないが、長辺１５２Ｄ、長辺１５２Ｕおよび２つの短辺２５４Ｓは、１本の中空丸パイプの４ヶ所を９０度ずつ曲げて構成され、図示しない接合部により接合されて一体化されて、１つの枠体が形成される。
【００４０】
支持体２５４は、棒状部材２５４Ｄと斜めステー２５４Ｎと、これらを矢示ＯＰ方向／ＣＬ方向に開閉自在に接続する回転接続部２６０とにより構成されている。なお、第１の実施の形態のように分解されるものではないものに限定されるものではないが、棒状部材２５４Ｄと斜めステー２５４Ｎは、１本の中空丸パイプの２ヶ所をそれぞれ所定の角度に曲げて構成されて、１つの構造体が形成される。
【００４１】
棒状部材２５４Ｄおよび長辺２５２Ｄ、ならびに、斜めステー２５４Ｎおよび長辺２５２Ｕは、それぞれ回転接続部２６０を介してＴ型連結部材２５６により連結される。ここで、Ｔ型連結部材２５６は上述したＴ型連結部材１７０と同様の構造を備える。図８（Ｃ）のＢ部詳細に示すように、回転接続部２６０は、蝶番２６２と、その蝶番２６２に連結された支持体側接続部２６４および枠体側接続部２６６とにより構成される。そして、この支持体２５４と枠体とにより、図８（Ａ）に示すように、側面視で直角三角形を構成するフレーム２５０を構成している。
【００４２】
なお、この支持体２５４は、図８（Ｃ）に示す矢示ＯＰ方向／ＣＬ方向に開閉するが、必ずしも第１の長辺２５２Ｄに対して略垂直の状態まで（矢示ＯＰ方向に略直角の状態まで）開かなければならないものではない。枠体が安定化する角度まで、この支持体２５４を第１の長辺２５２Ｄに対してＯＰ方向に開けば略垂直まで開かなくても構わない。
なお、長辺２５２Ｄに棒状部材２５４Ｄを取り付けるためのＴ型連結部材２５６の高さ方向の厚みを考慮して、棒状部材２５４Ｄの斜めステー２５４Ｎ側にはスペーサ２５８を設けてこの広告具２００のガタ付きを防止することも好ましい。
【００４３】
このような構造を備えた広告具２００は、図９に示す手順で組み立てられる。図９（Ａ）に示すように、第１の長辺２５２Ｄ、第２の長辺２５２Ｕおよび短辺２５２Ｓから構成される枠体に対して、矢示ＣＬ方向に閉じられていた支持体２５４を矢示ＯＰ方向へ、支持体２５４が第１の長辺２５２Ｄに対して略垂直の状態まで（矢示ＯＰ方向に略直角の状態まで）支持体２５４を開く。
【００４４】
そして、図９（Ｂ）に示すように、横方向に並べられた３脚の椅子Ｃの位置に、このフレーム２５０を設置する。なお、３脚の椅子Ｃの配置とフレーム２５０の配置との先後順は特に限定されず、どちらの配置が先であっても構わない。このとき、２本の支持体２５４の間に、３脚の椅子Ｃが配置されるようにしても、第１の実施の形態のように真ん中の椅子Ｃが配置されるようにしても、支持体２５４と椅子Ｃとが干渉しないので好ましい。なお、上述した第１の実施の形態において、２本の支持体１６０の間に、３脚の椅子Ｃが配置されるようにしても構わない。ここでは、第１の実施の形態とは異なり、２本の支持体２５４の間に、３脚の椅子Ｃが配置されるものとする。この状態で、椅子Ｃが並べられる講習会や説明会等に集まる人やその季節に対応させた宣伝広告がその表面２１２に施された広告シート２１０の袋部２１８にフレーム２５０の両方の短辺２５４Ｓを挿入することにより、フレーム２５０に広告シート２１０が取り付けられて、図９（Ｃ）および図１０に示す状態となる。
【００４５】
この場合において、フレーム２５０の長辺２５２Ｄの端部から棒状部材２５４Ｄの設置位置までの長さＬは（斜めステー２５４Ｎを備える場合には長辺２５２Ｕの端部から斜めステー２５４Ｎの設置位置までの長さＬも）、袋部２１８の長辺方向長さよりも長くなっている。このため、フレーム２５０の両方の短辺２５４Ｓを広告シート２１０の袋部２１８に挿入する場合に、２本の支持体２５４と広告シート２１０の袋部２１８とが干渉しない。
【００４６】
そうすると、図９（Ｃ）および図１０に示すように、この広告具２００は、３脚の椅子Ｃの背面全体を覆った状態になる。そして、この状態では、広告シート２１０の表面２１２にはその椅子Ｃが並べられる講習会や説明会等に集まる人やその季節に対応させた横方向に大きな広告表示が施されているから、この表面２１２は、その後ろの列の椅子Ｃに着座した参加者の目前、すなわち、最も注意を喚起し易い場所に位置する横長の広告表示になる。
【００４７】
より具体的には、上述した第１の実施の形態と同じように、図１１に示すように、この広告具２００は、各種の講習会や説明会等の会場に縦横に並べられる参加者用の３脚の椅子Ｃの背面側に配置して使用されるので、広告表示が施されている広告シート２１０の表面２１２は、その後ろの列の椅子Ｃに着座した参加者の目前に位置することになる。したがって、たとえば横方向に連続した広告内容を容易に表示させることができるので、宣伝広告機能が向上することになる。
【００４８】
なお、椅子Ｃを会場から撤収する場合には（別の会場で広告シート２１０を取り替えてこの椅子Ｃを使用する場合には）、広告シート２１０をフレーム２５０から取り外して、矢示ＯＰ方向に開かれていた支持体２５４を矢示ＣＬ方向へ閉じて、椅子Ｃの後脚Ｃ４を閉じて前脚Ｃ３に後脚Ｃ４を添わせて椅子Ｃを折り畳んで収納して別の場所へ運搬する。そして、別の場所において、上述した手順により、矢示ＣＬ方向に閉じられていた支持体２５４を矢示ＯＰ方向へ開いて、椅子Ｃを並べて広告シート２１０を取り付けて、新たな会場を設営する。
【００４９】
以上のようにして、本実施の形態に係る広告具２００によると、広告シート２１０を交換するだけで来場者に合致させた宣伝広告を表示させることができるとともに、横方向に長い広告表示領域を備えた広告シート２１０により宣伝広告機能が向上させることのできる広告具であって、会場におけるスペースを有効的に使用することができる広告具を提供することができる。
【００５０】
以上のようにして、本実施の形態に係る広告具２００によっても、上述した第１の実施の形態に係る広告具１００と同様の作用効果を発現することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５１】
たとえば、第１の実施の形態に係る広告具１００のフレーム１５０に第２の実施の形態に係る広告具２００の広告シート２１０を取り付けても、逆に、第２の実施の形態に係る広告具２００のフレーム２５０に第１の実施の形態に係る広告具１００の広告シート１１０を取り付けても、構わない。また、第１の実施の形態に係る広告具１００のフレーム１５０を分解型ではなく一体型として構成しても構わないし、逆に、第２の実施の形態に係る広告具２００のフレーム２５０を一体型ではなく分解型として構成しても構わない。すなわち、第１の実施の形態に係る広告具１００の構成と第２の実施の形態に係る広告具２００の構成とを任意に組み合わせて広告具を構成しても構わない。
【産業上の利用可能性】
【００５２】
本発明は、床面等に自立させるための広告具に好適であり、横方向に並べた椅子の背面スペースを有効に利用するとともに、広告表示内容を容易に交換可能な広告具に特に好適である。
【符号の説明】
【００５３】
１００、２００  横方向に長い自立式広告具（広告具）
１１０、２１０  広告シート
１５０、２５０  フレーム
【図１】
2017058460.tif 000003
【図２】
2017058460.tif 000004
【図３】
2017058460.tif 000005
【図４】
2017058460.tif 000006
【図５】
2017058460.tif 000007
【図６】
2017058460.tif 000008
【図７】
2017058460.tif 000009
【図８】
2017058460.tif 000010
【図９】
2017058460.tif 000011
【図１０】
2017058460.tif 000012
【図１１】
2017058460.tif 000013